【手続補正書】
【提出日】平成27年7月27日(2015.7.27)
【手続補正１】
【補正対象書類名】特許請求の範囲
【補正対象項目名】全文
【補正方法】変更
【補正の内容】
【特許請求の範囲】
【請求項１】
収容されたトナーを用いて画像を形成する感光ドラムを有するドラムカートリッジ、及び、前記ドラムカートリッジにトナーを補給するトナーカートリッジを装着可能な本体と、
前記ドラムカートリッジによる前記画像の印刷を制御する制御部とを備え、
前記制御部は、印刷時の動作モードとして、前記トナーカートリッジから前記ドラムカートリッジへのトナー補給が可能な状態で印刷が行われるように制御する第１モードと、前記トナーカートリッジから前記ドラムカートリッジへのトナー補給が不可能な状態で印刷が行われるように制御する第２モードとを有し、前記ドラムカートリッジの識別情報に基づいて、前記第１モード及び前記第２モードの一方を選択する
画像形成装置。
【請求項２】
収容されたトナーを用いて画像を形成する感光ドラムを有するドラムカートリッジ、及び、前記ドラムカートリッジにトナーを補給するトナーカートリッジを装着可能な本体と、
前記ドラムカートリッジによる前記画像の印刷を制御する制御部とを備え、
前記制御部は、印刷時の動作モードとして、前記トナーカートリッジから前記ドラムカートリッジへのトナー補給が可能な状態で印刷が行われるように制御する第１モードと、前記トナーカートリッジから前記ドラムカートリッジへのトナー補給が不可能な状態で印刷が行われるように制御する第２モードとを有し、
前記制御部はさらに、前記トナーカートリッジが前記本体に装着されているか否かを判断し、装着されていない場合には、現在の前記印刷時の動作モードを判断し、現在の前記印刷時の動作モードが第２モードであると判断したときに印刷可能と判断し、現在の前記印刷時の動作モードが第１モードであると判断したときに印刷不可能と判断する
画像形成装置。
【請求項３】
収容されたトナーを用いて画像を形成する感光ドラムを有するドラムカートリッジ、及び、前記ドラムカートリッジにトナーを補給するトナーカートリッジを装着可能な本体と、
前記ドラムカートリッジによる前記画像の印刷を制御する制御部とを備え、
前記制御部は、印刷時の動作モードとして、前記トナーカートリッジから前記ドラムカートリッジへのトナー補給が可能な状態で印刷が行われるように制御する第１モードと、前記トナーカートリッジから前記ドラムカートリッジへのトナー補給が不可能な状態で印刷が行われるように制御する第２モードとを有し、
前記制御部は、前記印刷時の動作モードが第２モードであるときに、前記トナーカートリッジが前記本体に装着されているか否かを判断し、装着されていると判断した場合に、前記印刷時の動作モードとして、第２モードから第１モードに変更する
画像形成装置。
【請求項４】
前記トナーカートリッジから前記ドラムカートリッジへのトナー補給が不可能な状態には、前記トナーカートリッジが前記本体に装着されていない状態、又は、前記本体に装着された前記トナーカートリッジがトナーを収容していない状態が含まれる
請求項１〜３のいずれか１項に記載の画像形成装置。
【請求項５】
前記ドラムカートリッジはさらに、トナーを収容し、前記トナーを前記感光ドラムの表面に供給する現像器を有し、
前記制御部は、前記第２モードでは、前記現像器から供給されるトナーを用いた印刷が行われるように制御する
請求項１〜４のいずれか１項に記載の画像形成装置。
【請求項６】
前記制御部は、少なくとも一つの識別情報に基づいて、前記印刷時の動作モードとして、前記第１モード及び前記第２モードの一方を選択する
請求項２〜５のいずれか１項に記載の画像形成装置。
【請求項７】
前記識別情報は、前記ドラムカートリッジに保持され、
前記制御部は、前記ドラムカートリッジに保持された前記識別情報を読み出し、読み出した前記識別情報に基づいて、前記第１モード及び前記第２モードの一方を選択する
請求項１又は６記載の画像形成装置。
【請求項８】
前記ドラムカートリッジは、記憶部を有し、
前記識別情報は、前記ドラムカートリッジが有する記憶部に格納され、
前記制御部は、前記記憶部に格納された前記識別情報を読み出し、読み出した前記識別情報に基づいて、前記第１モード及び前記第２モードの一方を選択する
請求項７記載の画像形成装置。
【請求項９】
前記識別情報は、前記ドラムカートリッジが前記トナーカートリッジからのトナー補給を受けずに印刷を行う単体動作が可能であるか否かを示す情報であり、
前記制御部は、読み出した前記識別情報が、前記単体動作が可能であることを示す場合に前記第２モードを選択し、読み出した前記識別情報が、前記単体動作が可能でないことを示す場合に前記第１モードを選択する
請求項７又は８記載の画像形成装置。
【請求項１０】
前記制御部はさらに、前記ドラムカートリッジが前記本体に装着されているか否かを判断し、装着されていない場合には、印刷不可能と判断する
請求項１、３〜９のいずれか１項に記載の画像形成装置。
【請求項１１】
前記制御部はさらに、前記トナーカートリッジが前記本体に装着されているか否かを判断し、装着されていない場合には、現在の前記印刷時の動作モードを判断し、現在の前記印刷時の動作モードが第２モードであると判断したときに印刷可能と判断し、現在の前記印刷時の動作モードが第１モードであると判断したときに印刷不可能と判断する
請求項１０記載の画像形成装置。
【請求項１２】
前記ドラムカートリッジ及び前記トナーカートリッジは、予め定められた情報を保持しており、
前記制御部は、前記ドラムカートリッジ及び前記トナーカートリッジから前記予め定められた情報を読み出すことができた場合に、前記ドラムカートリッジ及び前記トナーカートリッジが前記本体に装着されていると判断する
請求項２又は１１記載の画像形成装置。
【請求項１３】
前記制御部は、前記印刷時の動作モードが第２モードであるときに、前記トナーカートリッジが前記本体に装着されているか否かを判断し、装着されていると判断した場合に、前記印刷時の動作モードとして、第２モードから第１モードに変更する
請求項１、２、４〜１２のいずれか１項に記載の画像形成装置。
【請求項１４】
前記制御部は、前記印刷時の動作モードが第２モードであるときに、前記トナーカートリッジが前記本体に装着されているか否かを判断し、装着されていると判断した場合には、１ページ分の印刷が完了したとき、又は、前記トナーカートリッジから前記ドラムカートリッジへのトナー補給が必要であると判断されたときに、前記印刷時の動作モードとして、第２モードから第１モードに変更する
請求項１３記載の画像形成装置。
【請求項１５】
前記制御部は、
前記ドラムカートリッジが前記トナーカートリッジからのトナー補給を受けずに印刷を行う単体動作が可能であるか否かを示す識別情報に基づいて、前記第１モード及び前記第２モードの一方を選択し、
動作モードを第２モードから第１モードに変更した後には、前記識別情報を前記単体動作が可能でないことを示す情報に書き換える
請求項１３又は１４記載の画像形成装置。
【請求項１６】
前記画像形成装置は、動作モードとして、電力消費を抑えた省エネルギーモードでの動作と、電力消費を抑えていない通常モードとを有し、
前記制御部は、前記画像形成装置の電源がオンされたとき、前記画像形成装置の動作モードが前記省エネルギーモードから前記通常モードに復帰したとき、又は、前記画像形成装置のカバーが開けられた状態から閉められた状態になったときに、前記印刷時の動作モードとして前記第１モード及び前記第２モードの一方を選択し、
前記カバーが開けられた状態は、前記ドラムカートリッジの交換が可能になる状態である
請求項１〜１５のいずれか１項に記載の画像形成装置。
【請求項１７】
さらに、ユーザの指示を取得する入力部を備え、
前記制御部は、前記入力部が取得したユーザの指示に従って、前記印刷時の動作モードとして前記第１モード及び前記第２モードの一方を選択する
請求項１〜１６のいずれか１項に記載の画像形成装置。